(57)【要約】      （修正有）【課題】より簡易な構成により、吸引管の位置と試薬容器の位置とを合わせて吸引管を試薬容器内に進入させることが可能であり、試薬容器の交換作業において、ユーザの手および吸引管が汚染されることを抑制することが可能な検体分析システムを提供する。【解決手段】検体分析装置は、開口３４ａを有する第１試薬容器３ａを収容する第１試薬容器収容具４ａを設置可能な第１試薬容器設置部と、試薬を吸引するための吸引管２２３ａと、吸引管２２３ａを保持する吸引管保持部２２４ａとを備え、吸引管保持部２２４ａは、吸引管２２３ａを覆うカバー部２３０ａを含み、吸引管２２３ａを第１試薬容器３ａ内に進入させた状態と吸引管２２３ａを第１試薬容器３ａから退出させた状態とを取り得るように、吸引管保持部２２４ａを第１試薬容器３ａに対してガイドするためのガイド部を含む。【選択図】図２０
2015190901.tif 000002
【特許請求の範囲】
【請求項１】
開口を有する試薬容器が収容される試薬容器収容具を設置可能な試薬容器設置部と、
前記試薬容器内の試薬を吸引するための吸引管と、
前記吸引管を保持する吸引管保持部と、を備え、
前記吸引管保持部は、底面から側面にかけて設けられた開口部を有し前記開口部以外の領域で前記吸引管を覆うカバー部を含み、
前記吸引管保持部は、前記吸引管を前記試薬容器内に進入させた状態と前記吸引管を前記試薬容器から退出させた状態とを取り得るように、前記吸引管保持部を前記試薬容器収容具に対してガイドするためのガイド部を含む、検体分析装置。
【請求項２】
開口を有する試薬容器を設置可能な試薬容器設置部と、
前記試薬容器内の試薬を吸引するための吸引管と、
前記吸引管を保持する吸引管保持部と、を備え、
前記吸引管保持部は、底面から側面にかけて設けられた開口部を有し前記開口部以外の領域で前記吸引管を覆うカバー部を含み、
前記吸引管保持部は、前記吸引管を前記試薬容器内に進入させた状態と前記吸引管を前記試薬容器から退出させた状態とを取り得るように、前記吸引管保持部を前記試薬容器に対してガイドするためのガイド部を含む、検体分析装置。
【請求項３】
前記試薬容器収容具は、前記ガイド部に係合して直線状にスライド移動する被ガイド部を含んでいる、請求項１に記載の検体分析装置。
【請求項４】
前記試薬容器は、前記ガイド部に係合して直線状にスライド移動する被ガイド部を含んでいる、請求項２に記載の検体分析装置。
【請求項５】
前記ガイド部は、前記被ガイド部に係合される際に、前記吸引管の先端の位置よりも前記試薬容器側の位置で前記試薬容器収容具の前記被ガイド部と係合を開始するように構成されている、請求項３に記載の検体分析装置。
【請求項６】
前記被ガイド部は、上下方向に延びるように構成され、
前記被ガイド部の上端は、前記試薬容器の前記開口よりも上方に設けられている、請求項３〜５のいずれか１項に記載の検体分析装置。
【請求項７】
前記吸引管保持部は、直方体形状に形成されている、請求項１〜６のいずれか１項に記載の検体分析装置。
【請求項８】
前記開口部は、前記吸引管保持部が前記試薬容器に装着され、試薬容器設置部に設置された状態で、検体分析装置の前側の方向の側面に設けられている、請求項７に記載の検体分析装置。
【請求項９】
前記試薬容器設置部の試薬容器取り出し側の上端部の高さは、前記試薬容器設置部に前記試薬容器を設置した際の前記試薬容器の上端部の高さの半分以下であり、
前記試薬容器設置部の前記試薬容器取り出し側の反対側へ向かう途中から前記試薬容器設置部の内壁面の上端部の高さは、前記試薬容器設置部に前記試薬容器を設置した際の前記試薬容器の上端部の高さよりも高い、請求項１〜８のいずれか１項に記載の検体分析装置。
【請求項１０】
検体分析装置本体の外形を構成する筺体と、
前記筺体から前記試薬容器設置部を出し入れするための引出部と、をさらに備えた、請求項１〜９のいずれか１項に記載の検体分析装置。
【請求項１１】
前記試薬容器設置部は、第１試薬容器と、前記第１試薬容器とは異なる第２試薬容器とを設置可能に構成されており、
前記ガイド部は、前記第１試薬容器および前記第２試薬容器の両方の前記被ガイド部に係合可能な形状に形成されている、請求項１〜１０のいずれか１項に記載の検体分析装置。
【請求項１２】
前記吸引管保持部の色と、前記吸引管保持部が保持した前記吸引管が進入する前記試薬容器のうち少なくとも一部の色とは、同一または類似である、請求項１１に記載の検体分析装置。
【請求項１３】
反応チャンバをさらに備え、
前記吸引管は、チューブを介して前記反応チャンバに接続されており、
前記チューブは、前記吸引管保持部を装置外に取り出し可能な長さを有する、請求項１〜１２のいずれか１項に記載の検体分析装置。
【請求項１４】
前記試薬容器は、染色液を収容している、請求項１〜１３のいずれか１項に記載の検体分析装置。
【請求項１５】
試薬を吸引するための吸引管と、底面から側面にかけて設けられた開口部を有し前記開口部以外の領域で前記吸引管を覆うカバー部を含む、前記吸引管を保持する吸引管保持部と、を備える検体分析装置に設置可能な試薬容器であって、
前記吸引管が進入可能な開口を含む試薬容器本体と、
前記吸引管を前記試薬容器本体内に進入させた状態と前記吸引管を前記試薬容器本体から退出させた状態とを取り得るように、前記吸引管保持部を前記試薬容器本体に対してガイドされる被ガイド部と、を備える、試薬容器。
【発明の詳細な説明】
【技術分野】
【０００１】
本発明は、検体分析装置および試薬容器に関する。
【背景技術】
【０００２】
従来、試薬容器内の試薬を用いて検体の分析を行う検体分析装置が知られている（例えば、特許文献１参照）。
【０００３】
上記特許文献１には、開口を有する試薬容器と、試薬容器を収容する支持部と、試薬容器内の試薬を吸引する吸引管とを備えた分析装置が開示されている。この分析装置は、支持部を分析装置の奥側に向けて回動させる回動機構を含んでいる。また、試薬容器が配置された支持部は、ユーザにより分析装置の奥側に向けて回動される。これにより、吸引管の位置と試薬容器の位置とを合わせた状態で試薬容器がセットされる。この状態で、吸引管を試薬容器内に進入させて、吸引管により試薬が吸引される。
【先行技術文献】
【特許文献】
【０００４】
【特許文献１】国際公開第２０１１／１０５２４７号
【発明の概要】
【発明が解決しようとする課題】
【０００５】
しかしながら、上記特許文献１では、回動機構を用いて試薬容器を回動させることによって、吸引管による吸引位置に位置合わせがされた状態で試薬容器がセットされるので、分析装置の構造が複雑になる。このため、より簡易な構成により、吸引管の位置と試薬容器の位置とを合わせて吸引管を試薬容器内に進入させることが望まれている。また、その一方では、試薬容器の交換作業において、ユーザの手が吸引管に接触し、ユーザの手および吸引管が汚染されることを抑制することが望まれている。
【課題を解決するための手段】
【０００６】
この発明の第１の態様における検体分析装置は、開口を有する試薬容器が収容される試薬容器収容具を設置可能な試薬容器設置部と、試薬容器内の試薬を吸引するための吸引管と、吸引管を保持する吸引管保持部と、を備え、吸引管保持部は、底面から側面にかけて設けられた開口部を有し開口部以外の領域で吸引管を覆うカバー部を含み、吸引管保持部は、吸引管を試薬容器内に進入させた状態と吸引管を試薬容器から退出させた状態とを取り得るように、吸引管保持部を試薬容器収容具に対してガイドするためのガイド部を含む。
【０００７】
この発明の第２の態様における検体分析装置は、開口を有する試薬容器を設置可能な試薬容器設置部と、試薬容器内の試薬を吸引するための吸引管と、吸引管を保持する吸引管保持部と、を備え、吸引管保持部は、底面から側面にかけて設けられた開口部を有し開口部以外の領域で吸引管を覆うカバー部を含み、吸引管保持部は、吸引管を試薬容器内に進入させた状態と吸引管を試薬容器から退出させた状態とを取り得るように、吸引管保持部を試薬容器に対してガイドするためのガイド部を含む。
【０００８】
この発明の第３の態様における試薬容器は、試薬を吸引するための吸引管と、底面から側面にかけて設けられた開口部を有し開口部以外の領域で吸引管を覆うカバー部を含む、吸引管を保持する吸引管保持部と、を備える検体分析装置に設置可能な試薬容器であって、吸引管が進入可能な開口を含む試薬容器本体と、吸引管を試薬容器本体内に進入させた状態と吸引管を試薬容器本体から退出させた状態とを取り得るように、吸引管保持部を試薬容器本体に対してガイドされる被ガイド部と、を備える。
【発明の効果】
【０００９】
本発明によれば、上記のように、より簡易な構成により、吸引管の位置と試薬容器の位置とを合わせて吸引管を試薬容器内に対して進入させることができる。また、試薬容器の交換作業において、ユーザの手が吸引管に接触してユーザの手および吸引管が汚染されることを抑制することができる。
【図面の簡単な説明】
【００１０】
【図１】本発明の第１実施形態による検体分析システムを模式的に示した図である。
【図２】本発明の第１実施形態による検体分析システムの外観を示した斜視図である。
【図３】本発明の第１実施形態による検体分析システムの第１試薬容器設置部および第２試薬容器設置部を示した斜視図である。
【図４】図１５の５００−５００線に沿った断面図である。
【図５】本発明の第１実施形態による検体分析システムの第１試薬容器の斜視図である。
【図６】本発明の第１実施形態による検体分析システムの第１試薬容器の平面図である。
【図７】本発明の第１実施形態による検体分析システムの第２試薬容器の斜視図である。
【図８】本発明の第１実施形態による検体分析システムの第２試薬容器の平面図である。
【図９】本発明の第１実施形態による検体分析システムの第１試薬容器収容具の平面図である。
【図１０】本発明の第１実施形態による検体分析システムの第１試薬容器収容具の側面図である。
【図１１】本発明の第１実施形態による検体分析システムの第１試薬容器収容具をＹ１側から見た図である。
【図１２】本発明の第１実施形態による検体分析システムの第２試薬容器収容具の平面図である。
【図１３】本発明の第１実施形態による検体分析システムの第２試薬容器収容具の側面図である。
【図１４】本発明の第１実施形態による検体分析システムの第２試薬容器収容具をＹ１側から見た図である。
【図１５】本発明の第１実施形態による検体分析システムの第１試薬容器設置部および第２試薬容器設置部をＹ２側から見た図である。
【図１６】本発明の第１実施形態による検体分析システムの試薬吸引部をＸ２側から見た図である。
【図１７】本発明の第１実施形態による検体分析システムの試薬吸引部をＹ２側から見た図である。
【図１８】図１７の６００−６００線に沿った断面図である。
【図１９】本発明の第１実施形態による検体分析システムの試薬吸引部をＺ２側から見た図である。
【図２０】本発明の第１実施形態による検体分析システムの第１試薬容器設置部に設置した第１試薬容器に試薬吸引部を装着する動作を説明するための図である。
【図２１】本発明の第２実施形態による検体分析システムの第１試薬容器の斜視図である。
【図２２】本発明の第２実施形態による検体分析システムの第１試薬容器の平面図である。
【図２３】本発明の第２実施形態による検体分析システムの第１試薬容器の側面図である。
【図２４】本発明の第２実施形態による検体分析システムの第１試薬容器のＹ１側から見た図である。
【図２５】本発明の第２実施形態による検体分析システムの第２試薬容器の斜視図である。
【発明を実施するための形態】
【００１１】
以下、本発明の実施形態を図面に基づいて説明する。
【００１２】
（第１実施形態）
まず、図１〜図２０を参照して、本発明の第１実施形態による検体分析システム１の構成について説明する。
【００１３】
本発明の第１実施形態による検体分析システム１は、図１に示すように、検体分析装置２と、白血球分類を行う際に使用される第１試薬容器３ａおよび網状赤血球についての分析を行う際に使用される第２試薬容器３ｂと、第１試薬容器収容具４ａおよび第２試薬容器収容具４ｂとから構成されている。
【００１４】
検体分析装置２は、検体である血液の測定を行う。具体的には、検体分析装置２は、サンプル容器１５０から血液を吸引して、吸引した血液から検出用試料を調製する。そして、検体分析装置２は、検出用試料から血液の白血球分類および網状赤血球についての分析を行う。
【００１５】
検体分析装置２は、図２に示すように、筺体２ａにより本体の外形が構成されている。また、検体分析装置２は、筺体２ａから試薬容器設置部２２１（図３参照）を出し入れするための引出部２ｂを筺体２ａの左側面に備えている。これにより、通常の使用時などの試薬容器を交換しない場合に、試薬容器設置部２２１を筺体２ａに収めておくことができる。また、検体分析装置２は、筺体２ａのＹ２方向側の前面に表示部２ｃを備えている。また、表示部２ｃは、検体分析システム１により分析された分析結果などの情報を表示する機能を有する。なお、Ｙ２方向は、検体分析装置２の前側方向である。また、Ｙ１方向は、検体分析装置２の後側方向である。なお、検体分析装置２については、後で詳細に説明する。
【００１６】
試薬容器設置部２２１は、図３に示すように、第１試薬容器３ａを設置する第１試薬容器設置部２２１ａと、第２試薬容器３ｂを設置する第２試薬容器設置部２２１ｂとを含んでいる。第１試薬容器３ａは、第１試薬容器収容具４ａに収容された状態で第１試薬容器設置部２２１ａに設置される。第２試薬容器３ｂは、第２試薬容器収容具４ｂに収容された状態で第２試薬容器設置部２２１ｂに設置される。また、第１試薬容器設置部２２１ａは、図４に示すように、凹部２２１１を含んでいる。また、第１試薬容器設置部２２１ａは、第１試薬容器３ａを収容した第１試薬容器収容具４ａが凹部２２１１に嵌り込むように構成されている。また、第１試薬容器設置部２２１ａと同様、第２試薬容器設置部２２１ｂは、図示しない凹部を含んでいる。また、第２試薬容器設置部２２１ｂは、第２試薬容器３ｂを収容した第２試薬容器収容具４ｂが凹部に嵌り込むように構成されている。なお、第１試薬容器設置部２２１ａおよび第２試薬容器設置部２２１ｂについては、後で詳細に説明する。
【００１７】
次に、検体分析装置２に設置される第１試薬容器３ａおよび第２試薬容器３ｂの構成について詳細に説明する。
【００１８】
図５に示すように、第１試薬容器３ａは、白血球分類測定に用いられる白血球核酸を染色する染色液を収容している。第１試薬容器３ａは、第１部分３１ａと、第２部分３２ａと、第３部分３３ａと、開口３４ａと、底部３５ａとを含んでいる。また、第１試薬容器３ａには、試薬情報を表示したラベル３６ａがＹ２側の側面を覆うように貼付されている。ラベル３６ａは、一部が青色である。底部３５ａは、第１試薬容器３ａのＹ１側がＹ２側よりも低くなるように傾斜して形成されている。
【００１９】
第１部分３１ａは、図６に示すように、Ｘ方向において、幅Ｗ１を有する。また、第２部分３２ａは、第１部分３１ａよりも広い幅Ｗ２を有する。また、第３部分３３ａは、第１部分３１ａと第２部分３２ａとを接続するように構成されている。また、第１部分３１ａおよび第２部分３２ａは、Ｙ方向に平行に形成されている。また、第１試薬容器３ａは、Ｙ方向において、長さＬ１を有している。
【００２０】
開口３４ａは、第１部分３１ａのＺ１側に設けられている。また、開口３４ａは、第１部分３１ａのＹ１側の端部近傍に設けられている。なお、Ｚ１方向は、検体分析装置２の上側方向である。また、Ｚ２方向は、検体分析装置２の下側方向である。
【００２１】
図７に示すように、第２試薬容器３ｂは、網状赤血球測定に用いられる網状赤血球を染色する染色液を収容している。第２試薬容器３ｂは、本体部３１ｂと、開口３２ｂとを含んでいる。また、本体部３１ｂは、Ｙ１側がＹ２側よりも低くなるように傾斜した底部３３ｂを含んでいる。また、第２試薬容器３ｂは、第１試薬容器３ａとは異なる形状を有している。また、第２試薬容器３ｂには、試薬情報を表示したラベル３４ｂがＹ２側の側面を覆うように貼付されている。ラベル３４ｂは、一部が赤色である。
【００２２】
図８に示すように、本体部３１ｂは、Ｘ方向において、略一定の幅Ｗ１を有している。すなわち、本体部３１ｂは、Ｘ方向において、第１試薬容器３ａの第１部分３１ａの幅Ｗ１と略等しい幅を有している。また、本体部３１ｂは、Ｙ方向において、長さＬ２を有している。
【００２３】
開口３２ｂは、本体部３１ｂのＺ１側に設けられている。また、開口３２ｂは、本体部３１ｂのＹ１側の端部近傍に設けられている。
【００２４】
次に、第１試薬容器収容具４ａおよび第２試薬容器収容具４ｂの構成について詳細に説明する。
【００２５】
第１試薬容器収容具４ａは、図９に示すように、上面に開口を有した有底のケース状に形成されている。第１試薬容器収容具４ａは、第１部分４１ａと、第２部分４２ａと、第３部分４３ａと、第４部分４４ａとを含んでいる。また、第１試薬容器収容具４ａは、図１０に示すように、第１試薬容器３ａの底部３５ａに対応する形状の底部４５ａを含んでいる。また、第１試薬容器収容具４ａは、被ガイド部４６ａと、第１試薬容器収容具４ａの下端近傍に形成された爪部４７ａとを含んでいる。また、第１試薬容器収容具４ａは、図１１に示すように、第１部分４１ａのＺ１側に形成された切欠４８ａを含んでいる。
【００２６】
図９に示すように、第１部分４１ａは、Ｘ方向において、内面間の幅がＷ１になるように形成されている。また、第２部分４２ａは、Ｘ方向において、内面間の幅がＷ２になるように形成されている。また、第３部分４３ａは、Ｘ方向において、内面間の最大幅がＷ３になるように形成されている。また、第４部分４４ａは、第１部分４１ａと第３部分４３ａとを連結するように形成されている。また、第２部分４２ａの幅Ｗ２は、第１部分４１ａの幅Ｗ１よりも大きい。また、第３部分４３ａの幅Ｗ３は、第２部分４２ａの幅Ｗ２よりも大きい。
【００２７】
また、第１部分４１ａおよび第２部分４２ａは、第１試薬容器３ａの第１部分３１ａおよび第２部分３２ａのそれぞれを挟み込むように構成されている。また、第１試薬容器収容具４ａは、Ｙ方向において、内面間の長さが第１試薬容器３ａの長さＬ１と略同じになるように形成されている。これにより、第１試薬容器収容具４ａは、第１試薬容器３ａをＸ方向およびＹ方向に固定する。
【００２８】
また、第１試薬容器収容具４ａは、第１試薬容器収容具４ａに収容された第１試薬容器３ａの側面と、第１試薬容器収容具４ａの第３部分４３ａの内面および第４部分４４ａの内面とがクリアランスＣ１を有するように構成されている。これにより、検体分析システム１が気圧が低い場所で使用された際に第１試薬容器３ａがＸ方向に膨張した場合でも、膨張した体積をクリアランスＣ１により吸収することが可能である。なお、図９では、第１試薬容器収容具４ａに収容された第１試薬容器３ａを点線で示している。
【００２９】
図１０に示すように、被ガイド部４６ａは、後述する吸引管２２３ａを第１試薬容器３ａに進入させた状態と、吸引管２２３ａを第１試薬容器３ａから退出させた状態とを取り得るように、吸引管保持部２２４ａを第１試薬容器３ａに対してガイドするように構成されている。被ガイド部４６ａは、２つの被ガイドレール４６１ａおよび２つの被ガイドレール４６２ａにより構成されている。被ガイドレール４６１ａは、第１部分４１ａのＸ１側およびＸ２側の外側面にそれぞれ設けられている。また、被ガイドレール４６２ａは、第４部分４４ａのＸ１側およびＸ２側の外側面にそれぞれ設けられている。被ガイドレール４６１ａおよび４６２ａは、Ｚ方向に延びる直線状に形成されている。被ガイドレール４６１ａおよび４６２ａは、互いに略平行になるように形成されている。また、被ガイドレール４６１ａの下端は、被ガイドレール４６２ａの下端よりも下方に配置されている。被ガイドレール４６１ａおよび４６２ａの上端は、第１試薬容器収容具４ａに収容された第１試薬容器３ａの開口３４ａ（図４参照）よりも上方に設けられている。被ガイド部４６ａにより、簡易な構成で、吸引管２２３ａの位置と第１試薬容器３ａの開口３４ａの位置とを合わせて吸引管２２３ａを第１試薬容器３ａの開口３４ａに対して正確に進入させることができる。
【００３０】
第２試薬容器収容具４ｂは、図１２に示すように、上面に開口を有した有底のケース状に形成されている。第２試薬容器収容具４ｂは、第１部分４１ｂと、第２部分４２ｂと、第３部分４３ｂとを含んでいる。また、第２試薬容器収容具４ｂは、図１３に示すように、第２試薬容器３ｂの底部３３ｂに対応する形状の底部４４ｂを含んでいる。また、第２試薬容器収容具４ｂは、被ガイド部４５ｂと、第１部分４１ｂの下端近傍に形成された爪部４６ｂとを含んでいる。また、第２試薬容器収容具４ｂは、図１４に示すように、第１部分４１ｂのＺ１側に切欠４７ｂを含んでいる。
【００３１】
図１２に示すように、第１部分４１ｂは、Ｘ方向において、内面間の幅がＷ１になるように形成されている。また、第２部分４２ｂは、内面間の幅がＷ１になるように形成されている。また、第３部分４３ｂは、内面間の最大幅がＷ４になるように形成されている。第３部分４３ｂの幅Ｗ４は、第１部分４１ｂおよび第２部分４２ｂの幅Ｗ１よりも大きい。
【００３２】
第１部分４１ｂおよび第２部分４２ｂは、第２試薬容器３ｂの本体部３１ｂを挟み込むように構成されている。また、第２試薬容器収容具４ｂは、Ｙ方向において、内面間の長さが第２試薬容器３ｂの長さＬ２と略同じ長さを有している。これにより、第２試薬容器収容具４ｂは、第２試薬容器３ｂをＸ方向およびＹ方向に固定する。
【００３３】
また、第２試薬容器収容具４ｂは、第２試薬容器収容具４ｂに収容された第２試薬容器３ｂの側面と、第２試薬容器収容具４ｂの第３部分４３ｂの内面とがクリアランスＣ２を有するように構成されている。これにより、検体分析システム１が気圧が低い場所で使用された際に第２試薬容器３ｂがＸ方向に膨張した場合でも、膨張した体積をクリアランスＣ２により吸収することが可能である。なお、図１２では、第２試薬容器収容具４ｂに収容された第２試薬容器３ｂを点線で示している。
【００３４】
被ガイド部４５ｂは、後述する吸引管２２３ｂを第２試薬容器３ｂに進入させた状態と、吸引管２２３ｂを第２試薬容器３ｂから退出させた状態とを取り得るように、吸引管保持部２２４ｂを第２試薬容器３ｂに対してガイドするように構成されている。被ガイド部４５ｂは、図１３に示すように、２つの被ガイドレール４５１ｂおよび２つの被ガイドレール４５２ｂにより構成されている。被ガイドレール４５１ｂは、第１部分４１ｂのＸ１側およびＸ２側の外側面にそれぞれ設けられている。また、被ガイドレール４５２ｂは、第３部分４３ｂのＸ１側およびＸ２側の外側面にそれぞれ設けられている。被ガイドレール４５１ｂおよび４５２ｂは、Ｚ方向に延びる直線状に形成されている。被ガイドレール４５１ｂおよび４５２ｂは、互いに略平行になるように形成されている。また、被ガイドレール４５１ｂの下端は、被ガイドレール４５２ｂの下端よりも下方に配置されている。また、第１試薬容器収容具４ａの被ガイドレール４６１ａおよび４６２ａの上端が第１試薬容器収容具４ａに収容された第１試薬容器３ａの開口３４ａよりも上方に設けられているのと同様に、被ガイドレール４５１ｂおよび４５２ｂの上端は、第２試薬容器収容具４ｂに収容された第２試薬容器３ｂの開口３２ｂよりも上方に設けられている。被ガイド部４５ｂにより、簡易な構成で、吸引管２２３ｂの位置と第２試薬容器３ｂの開口３２ｂの位置とを合わせて吸引管２２３ｂを第２試薬容器３ｂの開口３２ｂに対して正確に進入させることができる。
【００３５】
次に、検体分析装置２の構成について詳細に説明する。
【００３６】
図１に示すように、検体分析装置２は、検体吸引部２１と、試料調整部２２と、検出部２３と、排出部２４と、制御装置２５とを含んでいる。
【００３７】
検体吸引部２１は、検体用吸引管２１１によりサンプル容器１５０から血液を吸引して、流路を介して反応チャンバ２３１に排出するように構成されている。
【００３８】
試料調整部２２は、試薬容器設置部２２１と、試薬吸引部２２２と、反応チャンバ２３１とを主に含んでいる。なお、試薬容器設置部２２１は、第１試薬容器設置部２２１ａおよび第２試薬容器設置部２２１ｂを含み、反応チャンバ２３１は、反応チャンバ２３１ａおよび２３１ｂを含むが、図１では簡略化して図示している。
【００３９】
第１試薬容器設置部２２１ａは、図１５に示すように、試薬容器取り出し側であるＹ２側の上端部の高さｈ１が、第１試薬容器設置部２２１ａに第１試薬容器３ａを設置した際の第１試薬容器３ａの上端部の高さｈの半分以下になるように構成されている。これにより、第１試薬容器設置部２２１ａは、第１試薬容器３ａをＹ２側に露出させることが可能である。また、第１試薬容器設置部２２１ａは、第１試薬容器設置部２２１ａの内壁面のうちＹ１側へ向かう途中から奥側の領域の上端部の高さｈ２が第１試薬容器設置部２２１ａに第１試薬容器３ａを設置した際の第１試薬容器３ａの上端部の高さｈよりも高い。これにより、より安定した状態で第１試薬容器３ａを第１試薬容器収容具４ａに設置することができる。また、第１試薬容器設置部２２１ａは、吸引管保持部２２４ａが第１試薬容器３ａに装着された状態で、第１試薬容器３ａを所定位置に転倒することなく設置可能なように構成されている。なお、高さの基準位置は、第１試薬容器設置部２２１ａに設置された第１試薬容器３ａの最も低い位置である。
【００４０】
同様に、第２試薬容器設置部２２１ｂは、試薬容器取り出し側であるＹ２側の高さｈ１が、第２試薬容器設置部２２１ｂに第２試薬容器３ｂを設置した際の第２試薬容器３ｂの高さｈの半分以下になるように構成されている。これにより、第２試薬容器設置部２２１ｂは、第２試薬容器３ｂをＹ２側に露出させることが可能である。また、第２試薬容器設置部２２１ｂは、第２試薬容器設置部２２１ｂの内壁面のうちＹ１側へ向かう途中から奥側の領域の高さｈ２が第２試薬容器設置部２２１ｂに第２試薬容器３ｂを設置した際の第２試薬容器３ｂの高さｈよりも高い。また、第２試薬容器設置部２２１ｂは、吸引管保持部２２４ｂが第２試薬容器３ｂに装着された状態で、第２試薬容器３ｂを所定位置に転倒することなく設置可能なように構成されている。
【００４１】
試薬吸引部２２２は、図１６に示すように、第１試薬容器３ａから試薬を吸引する試薬吸引部２２２ａと、第２試薬容器３ｂから試薬を吸引する試薬吸引部２２２ｂとから構成されている。
【００４２】
試薬吸引部２２２ａは、図１７に示すように、吸引管２２３ａと、吸引管保持部２２４ａと、側面２２５ａと、開口部２２６ａと、被ガイドレール４６１ａおよび４６２ａに係合するガイド部２２７ａ（図１９参照）とを含んでいる。また、Ｙ２側以外の側面２２５ａは、吸引管２２３ａの側方を覆うカバー部２３０ａとして機能する。カバー部２３０ａによりユーザの手が吸引管２２３ａに接触するのを抑制することができる。また、吸引管保持部２２４ａは、図１８に示すように、爪部４７ａと嵌合する孔部２２８ａと、吸引管２２３ａを保持する部分の下側にパッキン２２９ａとを含んでいる。
【００４３】
試薬吸引部２２２ａと同様に、試薬吸引部２２２ｂは、図１７に示すように、吸引管２２３ｂと、吸引管保持部２２４ｂと、側面２２５ｂと、開口部２２６ｂと、被ガイドレール４５１ｂおよび４５２ｂに係合するガイド部２２７ｂ（図１９参照）とを含んでいる。また、Ｙ２側以外の側面２２５ｂは、吸引管２２３ｂの側方を覆うカバー部２３０ｂとして機能する。カバー部２３０ｂによりユーザの手が吸引管２２３ｂに接触するのを抑制することができる。また、吸引管保持部２２４ｂは、図１８に示すように、爪部４６ｂと嵌合する孔部２２８ｂと、吸引管２２３ｂを保持する部分の下側にパッキン２２９ｂとを含んでいる。また、吸引管保持部２２４ａは青色である。また、試薬吸引部２２２ｂは赤色である。吸引管保持部２２４ａの色と、第１試薬容器３ａの試薬表示ラベルの一部の色とは、同一の色（青色）である。また、吸引管保持部２２４ｂの色と、第２試薬容器３ｂの試薬表示ラベルの一部の色とは、同一の色（赤色）である。これにより、対応する吸引管保持部２２４ａおよび第１試薬容器３ａ、または、吸引管保持部２２４ｂおよび第２試薬容器３ｂの一致を目視により確認することができる。なお、試薬吸引部２２２ａの吸引管２２３ａおよび試薬吸引部２２２ｂの吸引管２２３ｂは、チューブ２０（図３参照）を介して、反応チャンバ２３１ａおよび２３１ｂにそれぞれ接続されている。チューブ２０は、試薬吸引部２２２ａおよび２２２ｂを容易に第１試薬容器収容具４ａおよび第２試薬容器収容具４ｂから取り出せる長さを有している。
【００４４】
また、吸引管保持部２２４ａおよび２２４ｂは、電波を透過可能な樹脂により形成されている。また、試薬吸引部２２２ａおよび２２２ｂは、吸引管保持部２２４ａおよび２２４ｂの色が異なる点を除いて、同様の構成を有している。このため、以下では、試薬吸引部２２２ａについてのみ説明し、試薬吸引部２２２ｂの説明は省略する。
【００４５】
吸引管２２３ａは、図１７に示すように、第１試薬容器３ａ内の試薬を吸引するように構成されている。吸引管２２３ａは、Ｚ方向に延びるように形成されている。また、吸引管２２３ａは、第１試薬容器３ａの最深部近傍（図４参照）に到達する長さを有している。
【００４６】
吸引管保持部２２４ａは、略直方体形状に形成されている。吸引管保持部２２４ａは、内部に略直方体形状の空洞が形成されている。吸引管保持部２２４ａは、吸引管２２３ａを保持するように構成されている。
【００４７】
開口部２２６ａは、吸引管保持部２２４ａのＹ２側の側面２２５ａに設けられている。具体的には、開口部２２６ａは、吸引管保持部２２４ａが装着された第１試薬容器３ａが第１試薬容器設置部２２１ａに設置された状態で、Ｙ２側の側面２２５ａに設けられている。これにより、開口部２２６ａを介して吸引管２２３ａを視認することができるので、被ガイド部４６ａにより吸引管２２３ａが第１試薬容器３ａの開口３４ａに進入されたことを視認することができる。
【００４８】
図１９に示すように、ガイド部２２７ａは、被ガイドレール４６１ａおよび４６２ａに係合して吸引管保持部２２４ａを直線状にスライド移動させる機能を有する。また、ガイド部２２７ａは、吸引管保持部２２４ａの側面２２５ａのうち被ガイドレール４６１ａおよび４６２ａの各々に当接する部分により構成されている。また、ガイド部２２７ａは、Ｘ１側とＸ２側のそれぞれに設けられている。また、ガイド部２２７ａは、Ｙ１側とＹ２側のそれぞれに設けられている。また、ガイド部２２７ａは、Ｚ方向に沿って直線状に延びるように形成されている。また、Ｙ２側のガイド部２２７ａは、被ガイドレール４６２ａに係合するように構成されている。また、Ｙ１側のガイド部２２７ａは、被ガイドレール４６１ａに係合するように構成されている。また、吸引管保持部２２４ａのガイド部２２７ａは、被ガイドレール４６１ａおよび４６２ａに係合される際に、吸引管２２３ａのＺ側の先端よりも第１試薬容器３ａ側の位置で第１試薬容器収容具４ａの被ガイドレール４６１ａおよび４６２ａと係合を開始するように構成されている。これにより、第１試薬容器収容具４ａの被ガイド部４６ａと、吸引管保持部２２４ａのガイド部２２７ａとを係合させる際に、吸引管２２３ａの先端が第１試薬容器収容具４ａに接触するのを抑制することができる。また、ガイド部２２７ａは、第１試薬容器３ａの被ガイド部４６ａおよび第２試薬容器３ｂの被ガイド部４５ｂの両方に係合可能な形状に形成されている。これにより、検体分析システム１を製造する際の部品の種類を削減することができる。
【００４９】
また、孔部２２８ａと第１試薬容器収容具４ａの爪部４７ａとが嵌合することによって、吸引管保持部２２４ａが第１試薬容器３ａを収容した第１試薬容器収容具４ａにセットされる。
【００５０】
反応チャンバ２３１は、図１に示すように、白血球分類用の試料を調整する反応チャンバ２３１ａと、網状赤血球用の試料を調整する反応チャンバ２３１ｂとを含む。反応チャンバ２３１ａは、白血球分類用試薬および検体の混合液を所定温度で加温するように構成されている。反応チャンバ２３１ｂは、網状赤血球用試薬および検体の混合液を所定温度で加温するように構成されている。
【００５１】
検出部２３は、反応チャンバ２３１ａおよび２３１ｂから送液された検出用試料をフローサイトメトリー法により測定する機能を有する。検出部２３で得られた検出結果は、制御装置２５に送信される。検出処理が終了すると、検出部２３に送られた検出用試料は、排出部２４に送られる。
【００５２】
排出部２４は、測定済みの試料を排出するように構成されている。
【００５３】
制御装置２５は、パーソナルコンピュータからなり、ＣＰＵ、記憶部などを含んでいる。制御装置２５は、検出部２３から送信された測定データを分析して、白血球分類と網状赤血球についての分析結果を生成する。
【００５４】
次に、図３および図２０を参照して、第１試薬容器３ａおよび第２試薬容器３ｂを検体分析装置２に設置する設置方法について説明する。なお、第２試薬容器３ｂの設置方法は、第１試薬容器３ａの設置方法と同様であるので、ここでは、第１試薬容器３ａの設置方法について説明し、第２試薬容器３ｂの設置方法は省略する。
【００５５】
まず、図２０に示すように、第１試薬容器３ａを第１試薬容器収容具４ａにセットする。
【００５６】
次に、第１試薬容器３ａがセットされた第１試薬容器収容具４ａに試薬吸引部２２２ａを取り付ける。この際、吸引管保持部２２４ａのガイド部２２７ａが、吸引管２２３ａの先端の位置よりも第１試薬容器３ａ側の位置で第１試薬容器収容具４ａの被ガイドレール４６１ａおよび４６２ａと係合を開始する。また、第１試薬容器収容具４ａの切欠４８ａにより、吸引管２２３ａが第１試薬容器収容具４ａと接触するのを抑制することが可能である。
【００５７】
この状態で、吸引管保持部２２４ａをＺ２側に移動する。これにより、第１試薬容器３ａがセットされた第１試薬容器収容具４ａへの試薬吸引部２２２ａの装着が完了する。この際、孔部２２８ａと第１試薬容器収容具４ａの爪部４７ａとが嵌合することによって、吸引管保持部２２４ａが第１試薬容器３ａを収容した第１試薬容器収容具４ａに固定された状態でセットされる。
【００５８】
次に、図３に示すように、第１試薬容器３ａが収容され、試薬吸引部２２２ａがセットされた第１試薬容器収容具４ａを第１試薬容器設置部２２１ａに配置する。以上の設置作業により、第１試薬容器３ａが検体分析装置２に設置される。
【００５９】
（第２実施形態）
以下、図２１〜図２５を参照して、本発明の第２実施形態による検体分析システム１ａの構成について説明する。
【００６０】
この第２実施形態では、第１試薬容器３ａおよび第２試薬容器３ｂを、第１試薬容器収容具４ａおよび第２試薬容器収容具４ｂのそれぞれに収容して検体分析装置２に設置した第１実施形態と異なり、第１試薬容器３０３ａおよび第２試薬容器３０３ｂを、直接、第１試薬容器設置部２２１ａおよび第２試薬容器設置部２２１ｂに収容する検体分析システム１ａについて説明する。なお、上記第１実施形態と同様の構成については同じ符号を用いるとともに、説明を省略する。
【００６１】
図２１に示すように、第１試薬容器３０３ａは、本体部３３１ａと、開口３３２ａと、被ガイド部３３３ａと、下端近傍に形成された爪部３３４ａとを含んでいる。また、第１試薬容器３０３ａは、本体部３３１ａのＹ１側かつＺ１側に形成された切欠３３５ａを含んでいる。また、第１試薬容器３０３ａには、試薬情報を表示したラベル３３６ａがＹ２側の側面を覆うように貼付されている。ラベル３３６ａは、一部が青色である。
【００６２】
開口３３２ａは、図２２に示すように、本体部３３１ａのＺ１側に設けられている。また、開口３３２ａは、本体部３３１ａのＹ１側の端部近傍に設けられている。
【００６３】
被ガイド部３３３ａは、吸引管２２３ａを第１試薬容器３０３ａに進入させた状態と、吸引管２２３ａを第１試薬容器３０３ａから退出させた状態とを取り得るように、吸引管保持部２２４ａを第１試薬容器３０３ａに対してガイドするように構成されている。被ガイド部３３３ａは、図２３に示すように、本体部３３１ａのＸ１側およびＸ２側の外側面にそれぞれ設けられている。
【００６４】
第２試薬容器３０３ｂは、図２５に示すように、本体部３３１ｂと、開口３３２ｂと、被ガイド部３３３ｂと、下端近傍に形成された爪部３３４ｂとを含んでいる。また、第２試薬容器３０３ｂは、本体部３３１ｂのＺ１側に形成された切欠３３５ｂを含んでいる。また、第２試薬容器３０３ｂには、試薬情報を表示したラベル３３６ｂがＹ２側の側面を覆うように貼付されている。ラベル３３６ｂは、一部が赤色である。
【００６５】
開口３３２ｂは、本体部３３１ｂのＺ１側に設けられている。また、開口３３２ｂは、本体部３３１ｂのＹ１側の端部近傍に設けられている。
【００６６】
被ガイド部３３３ｂは、吸引管２２３ｂを第２試薬容器３０３ｂに進入させた状態と、吸引管２２３ｂを第２試薬容器３０３ｂから退出させた状態とを取り得るように、吸引管保持部２２４ｂを第２試薬容器３０３ｂに対してガイドするように構成されている。被ガイド部３３３ｂは、本体部３３１ｂのＸ１側およびＸ２側の外側面にそれぞれ設けられている。
【００６７】
なお、第２実施形態のその他の構成は、上記第１実施形態と同様である。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記第１および第２実施形態では、本発明を血液などの検体を検査する検体分析装置に適用した例を示したが、本発明はこれに限られない。本発明は、尿や遺伝子などの検体を検査する検体分析装置にも適用可能ある。
【００７０】
また、上記第１および第２実施形態では、吸引管保持部がＹ２側に開口を含む例を示したが、本発明はこれに限られない。本発明は、吸引管保持部がＹ２側に開口を含まなくてもよい。
【００７１】
また、上記第１および第２実施形態では、２種類の第１試薬容器と第２試薬容器とが検体分析システムに設置される例を示したが、本発明はこれに限られない。本発明は、１種類、または、３種類以上の試薬容器が検体分析システムに設置されてもよい。
【００７２】
また、上記第１および第２実施形態では、吸引管保持部の色と試薬容器の一部の色とが同一である例を示したが、本発明はこれに限られない。本発明は、吸引管保持部の色と試薬容器の一部の色とが類似であってもよい。なお、類似する色とは、たとえば、青色、水色、および、紫色などの青系統の色や、赤色、橙色および桃色など赤系統の色など、視覚的に２つの色が同系統の色と認識される色を示す概念である。
【符号の説明】
【００７３】
１、１ａ  検体分析システム
２  検体分析装置
２ａ  筺体
２ｂ  引出部
３ａ、３０３ａ  第１試薬容器
３ｂ、３０３ｂ  第２試薬容器
４ａ  第１試薬容器収容具
４ｂ  第２試薬容器収容具
２０  チューブ
３２ｂ、３４ａ、３３２ａ、３３２ｂ  開口
４５ｂ、４６ａ、３３３ａ、３３３ｂ  被ガイド部
２２１ａ  第１試薬容器設置部
２２１ｂ  第２試薬容器設置部
２２３ａ、２２３ｂ  吸引管
２２４ａ、２２４ｂ  吸引管保持部
２２５ａ、２２５ｂ  側面
２２６ａ、２２６ｂ  開口部
２２７ａ、２２７ｂ  ガイド部
２３０ａ、２３０ｂ  カバー部
２３１、２３１ａ、２３１ｂ  反応チャンバ
【図１】
2015190901.tif 000003
【図２】
2015190901.tif 000004
【図３】
2015190901.tif 000005
【図４】
2015190901.tif 000006
【図５】
2015190901.tif 000007
【図６】
2015190901.tif 000008
【図７】
2015190901.tif 000009
【図８】
2015190901.tif 000010
【図９】
2015190901.tif 000011
【図１０】
2015190901.tif 000012
【図１１】
2015190901.tif 000013
【図１２】
2015190901.tif 000014
【図１３】
2015190901.tif 000015
【図１４】
2015190901.tif 000016
【図１５】
2015190901.tif 000017
【図１６】
2015190901.tif 000018
【図１７】
2015190901.tif 000019
【図１８】
2015190901.tif 000020
【図１９】
2015190901.tif 000021
【図２０】
2015190901.tif 000022
【図２１】
2015190901.tif 000023
【図２２】
2015190901.tif 000024
【図２３】
2015190901.tif 000025
【図２４】
2015190901.tif 000026
【図２５】
2015190901.tif 000027